(57)【要約】【課題】額縁部分の小型化が可能な表示装置の提供。【解決手段】本発明の表示装置１０は、画像が表示される表示面１１ｃを表側に含む表示パネル１１と、表示パネル１１の裏側に配される板状部材であって、前記板状部材の表側の板面１６ａからなり表示パネル１１の裏側に向かって光を出射する光出射面１６ａを有する導光板１６と、導光板１６ａの裏側に配される板状部材であって、表側の板面が導光板１６の裏側の板面１６ｆと対向するシャーシ１４と、表示パネル１１の表示駆動を制御し、シャーシ１４の裏側に配される駆動基板２１３と、表示パネル１１と駆動基板２１３との間を電気的に接続する可撓性を備えたフレキシブル基板２１１と、シャーシ１４との間で駆動基板２１３を保持する保持部２０を有し、シャーシ１４の裏側に配されるカバー部材ＣＶと、を備える。【選択図】図５
2013238639.tif 000002
【特許請求の範囲】
【請求項１】
画像が表示される表示面を表側に含む表示パネルと、
前記表示パネルの裏側に配される板状部材であって、前記板状部材の表側の板面からなり前記表示パネルの裏側に向かって光を出射する光出射面を有する導光板と、
前記導光板の裏側に配される板状部材であって、表側の板面が前記導光板の裏側の板面と対向するシャーシと、
前記表示パネルの表示駆動を制御し、前記シャーシの裏側に配される駆動基板と、
前記表示パネルと前記駆動基板との間を電気的に接続する可撓性を備えたフレキシブル基板と、
前記シャーシとの間で前記駆動基板を保持する保持部を有し、前記シャーシの裏側に配されるカバー部材と、を備える表示装置。
【請求項２】
前記保持部は、前記シャーシとの間で、前記駆動基板を挟持する第１凸部を含む請求項１に記載の表示装置。
【請求項３】
前記シャーシと前記カバー部材との間に配される絶縁シートを備え、
前記第１凸部は、前記シャーシとの間で、前記絶縁シートを介した状態で前記駆動基板を挟持する請求項２に記載の表示装置。
【請求項４】
前記第１凸部の先端に前記駆動基板に宛がわれる弾性部材を備える請求項２又は請求項３に記載の表示装置。
【請求項５】
前記保持部は、前記駆動基板の板面が前記シャーシの板面に対して平行に配された状態で、前記駆動基板を収容可能な筒状の第１収容部を含む請求項１に記載の表示装置。
【請求項６】
前記駆動基板は、その厚み方向に貫通する貫通孔を有し、
前記保持部は、前記駆動基板が前記表示パネルの厚み方向に沿って移動可能な状態で、前記貫通孔に挿通されると共に、前記シャーシの裏側に宛がわれる柱部を含む請求項１に記載の表示装置。
【請求項７】
画像が表示される表示面を表側に含む表示パネルと、
前記表示パネルの裏側に配される板状部材であって、前記板状部材の表側の板面からなり前記表示パネルの裏側に向かって光を出射する光出射面を有する導光板と、
前記導光板の裏側の板面を覆う形で前記導光板の裏側に配される反射シートと、
前記反射シートの端部が露出すると共に前記反射シートを介して前記導光板の裏側に配される板状部材であって、表側の板面が前記導光板の裏側の板面と対向するシャーシと、
前記表示パネルの表示駆動を制御し、前記シャーシから露出する前記反射シートを介して前記導光板の裏側に配される駆動基板と、
前記表示パネルと前記駆動基板との間を電気的に接続する可撓性を備えたフレキシブル基板と、
前記反射シートを介した状態で前記導光板との間で前記駆動基板を保持する保持部を有し、前記シャーシの裏側に配されるカバー部材と、を備える表示装置。
【請求項８】
前記保持部は、前記導光板との間で、前記反射シートを介して前記駆動基板を挟持する第２凸部を含む請求項７に記載の表示装置。
【請求項９】
前記第２凸部の先端に前記駆動基板に宛がわれる弾性部材を備える請求項８に記載の表示装置。
【請求項１０】
前記保持部は、前記駆動基板の板面が前記導光板の板面に対して平行に配されると共に、前記駆動基板が前記表示パネルの厚み方向に沿って移動可能な状態で、前記駆動基板を収容する表側が開口した箱状の第２収容部を含む請求項７に記載の表示装置。
【請求項１１】
前記シャーシは、金属製の板状部材からなる請求項１から請求項９のいずれか一項に記載の表示装置。
【請求項１２】
前記カバー部材は、合成樹脂からなり、前記保持部は一体的に成形されている請求項１から請求項１１のいずれか一項に記載の表示装置。
【請求項１３】
前記表示パネルの表側の周縁に宛がわれる接触部と、この接触部から外側に向かって延びると共に前記シャーシと対向する対向部と、この対向部から前記シャーシ側に向かって延設される外壁部とを有するフレームを備える請求項１から請求項１２のいずれか一項に記載の表示装置。
【請求項１４】
前記表示パネルは、一対の基板間に液晶を封入してなる液晶パネルからなる請求項１から請求項１３のいずれか一項に記載の表示装置。
【請求項１５】
請求項１から請求項１４のいずれか一項に記載された表示装置を備えるテレビ受信装置。
【発明の詳細な説明】
【技術分野】
【０００１】
本発明は、表示装置、及びテレビ受信装置に関する。
【背景技術】
【０００２】
テレビ、携帯電話、携帯情報端末等の表示装置に、液晶パネルが利用されている。液晶パネルは、液晶層と、この液晶層を挟んで互いに対向する一対のガラス基板とを備えている。これらのガラス基板の液晶層側には、それぞれ所定の電極が形成されており、これらの電極間に駆動電圧が印加されることによって、液晶層中の液晶分子の配向が制御されている。なお、前記駆動電圧は、所定の駆動回路によって制御されている。
【０００３】
また、液晶パネルを備えた表示装置は、液晶パネルに光を供給するための照明装置（所謂、バックライト装置）を備えている。この照明装置は、液晶パネルの背面側に配されており、面状に広がった光を液晶パネルの背面に向けて照射するように構成されている。上述したように、液晶層中の液晶分子の配向が制御されると、液晶パネルの背面側から表示面側に向かって透過する光の割合が調節されて、液晶パネルの表示画像が制御される。
【０００４】
なお、特許文献１に示されるように、液晶パネルの端部には、ＴＣＰ（Ｔａｐｅ  Ｃａｒｒｉｅｒ  Ｐａｃｋａｇｅ）や、ＳＯＦ（Ｓｙｓｔｅｍ  ｏｎ  Ｆｉｌｍ）等からなるフレキシブル基板を介して液晶パネルに駆動信号を送信する駆動基板（例えば、ソース基板）が設けられている。この駆動基板は、液晶パネルの辺方向に沿って延びた長尺状（帯状）をなしており、液晶パネルの外側後方において、液晶パネルの板面（表示面）に対して起立した状態で配されている。つまり、駆動基板は、その短辺方向が液晶パネルの板面に対して垂直に交わった状態で、液晶パネルの外側後方に配されている。
【先行技術文献】
【特許文献】
【０００５】
【特許文献１】特開２００７−３２２７２８号公報
【発明の概要】
【発明が解決しようとする課題】
【０００６】
近年、種々の目的で、表示装置における液晶パネルの周りを囲む額縁状の部分（所謂、額縁部分）を、小さくすることが試みられている。なお、特許文献１に示される駆動基板の短辺方向における幅は、液晶パネルと、その背面側に配される照明装置の各構成部品との積層物の厚みよりも、大きくなっている。特に、大型の表示装置の場合、配線パターンを形成するスペースを広く設定する必要がある等の理由により、駆動基板が大きくなりがちである。
【０００７】
特許文献１のように、駆動基板が、液晶パネルの外側後方において、液晶パネルの板面に対して起立した状態で配されていると、表示装置の額縁部分の厚みが大きくなってしまい、問題となっている。
【０００８】
また、前記駆動基板を、その板面が前記液晶パネルの板面に対して平行に並ぶように、液晶パネルの外側に配することも考えられる。しかしながら、このように前記駆動基板を配すると、表示装置の額縁部分が大きく（広く）なって、外側に広がった状態となってしまう。
【０００９】
本発明の目的は、額縁部分の小型化が可能な表示装置等を提供することである。
【課題を解決するための手段】
【００１０】
本発明に係る表示装置は、画像が表示される表示面を表側に含む表示パネルと、前記表示パネルの裏側に配される板状部材であって、前記板状部材の表側の板面からなり前記表示パネルの裏側に向かって光を出射する光出射面を有する導光板と、前記導光板の裏側に配される板状部材であって、表側の板面が前記導光板の裏側の板面と対向するシャーシと、前記表示パネルの表示駆動を制御し、前記シャーシの裏側に配される駆動基板と、前記表示パネルと前記駆動基板との間を電気的に接続する可撓性を備えたフレキシブル基板と、前記シャーシとの間で前記駆動基板を保持する保持部を有し、前記シャーシの裏側に配されるカバー部材と、を備える。
【００１１】
前記表示装置において、前記表示パネルの裏側に、前記導光板が配されており、更に前記導光板の裏側に、前記シャーシが配されている。前記表示パネルの表示駆動を制御する前記駆動基板は、可撓性を備えた前記フレキシブル基板を介して前記表示パネルに対して電気的に接続されている。そして、前記駆動基板は、前記シャーシの裏側に配されている。また、前記シャーシの裏側には前記カバー部材が配されている。このカバー部材は、前記シャーシとの間で前記駆動基板を保持する前記保持部を備えている。このように、前記駆動基板を、前記カバー部材が備えている前記保持部によって保持させることによって、前記表示装置における前記表示パネルの周りを囲む額縁部分を狭小化することができる。例えば、前記表示装置は、前記駆動基板を前記導光板の端面の外側に配置した場合と比べて、額縁部分を狭小化することができる。
【００１２】
前記表示装置において、前記保持部は、前記シャーシとの間で、前記駆動基板を挟持する第１凸部を含むものであってもよい。
【００１３】
前記表示装置において、前記シャーシと前記カバー部材との間に配される絶縁シートを備え、前記第１凸部は、前記シャーシとの間で、前記絶縁シートを介した状態で前記駆動基板を挟持するものであってもよい。前記表示装置において、前記シャーシと前記カバー部材との間に配される絶縁シートを備え、前記第１凸部が、前記シャーシとの間で、前記絶縁シートを介した状態で前記駆動基板を挟持するものであると、前記駆動基板と前記シャーシとが互いに電気的に接続されることが抑制されると共に、前記駆動基板が前記シャーシとの接触によって損傷することが抑制される。
【００１４】
前記表示装置において、前記第１凸部の先端に前記駆動基板に宛がわれる弾性部材を備えるものであってもよい。前記表示装置において、前記第１凸部の先端に前記駆動基板に宛がわれる弾性部材が備えられていると、前記駆動基板が、前記シャーシと前記第１凸部との間である程度、動ける状態で保持される。その結果、前記駆動基板が前記シャーシや前記第１凸部等から力を受けて、損傷することが抑制される。
【００１５】
前記表示装置において、前記保持部は、前記駆動基板の板面が前記シャーシの板面に対して平行に配された状態で、前記駆動基板を収容可能な筒状の第１収容部を含むものであってもよい。
【００１６】
前記表示装置において、前記駆動基板は、その厚み方向に貫通する貫通孔を有し、前記保持部は、前記駆動基板が前記表示パネルの厚み方向に沿って移動可能な状態で、前記貫通孔に挿通されると共に、前記シャーシの裏側に宛がわれる柱部を含むものであってもよい。このように、前記駆動基板が前記表示パネルの厚み方向に沿って移動可能な状態で、保持されることによって、前記駆動基板と前記フレキシブル基板との接続部分や、前記フレキシブル基板と前記表示パネルとの接続部分に対して応力が集中することが抑制される。その結果、前記フレキシブル基板や前記駆動基板等が破損することが抑制される。
【００１７】
本発明に係る表示装置は、画像が表示される表示面を表側に含む表示パネルと、前記表示パネルの裏側に配される板状部材であって、前記板状部材の表側の板面からなり前記表示パネルの裏側に向かって光を出射する光出射面を有する導光板と、前記導光板の裏側の板面を覆う形で前記導光板の裏側に配される反射シートと、前記反射シートの端部が露出すると共に前記反射シートを介して前記導光板の裏側に配される板状部材であって、表側の板面が前記導光板の裏側の板面と対向するシャーシと、前記表示パネルの表示駆動を制御し、前記シャーシから露出する前記反射シートを介して前記導光板の裏側に配される駆動基板と、前記表示パネルと前記駆動基板との間を電気的に接続する可撓性を備えたフレキシブル基板と、前記反射シートを介した状態で前記導光板との間で前記駆動基板を保持する保持部を有し、前記シャーシの裏側に配されるカバー部材と、を備える。
【００１８】
前記表示装置において、前記表示パネルの裏側に、前記導光板が配されており、更に前記導光板の裏側に、前記反射シートが配されている。前記シャーシは、前記反射シートの端部が露出する状態で前記反射シートを介して前記導光板の裏側に配されている。そして、前記駆動基板は、前記シャーシから露出する前記端部の前記反射シートを介した状態で前記導光板の裏側に配されている。また、前記シャーシの裏側には前記カバー部材が配されている。このカバー部材は、前記導光板との間で前記反射シートを介した状態で前記駆動基板を保持する保持部を備えている。このように、前記駆動基板を、前記導光板との間で前記カバー部材が備えている保持部によって保持させることによって、前記表示装置における前記表示パネルの周りを囲む額縁部分を狭小化することができる。例えば、前記表示装置は、前記駆動基板を前記導光板の端面の外側に配置した場合と比べて、額縁部分を狭小化することができる。
【００１９】
前記表示装置において、前記保持部が、前記導光板との間で、前記反射シートを介して前記駆動基板を挟持する第２凸部を含むものであってもよい。
【００２０】
前記表示装置において、前記第２凸部の先端に前記駆動基板に宛がわれる弾性部材を備えるものであってもよい。前記表示装置において、前記第２凸部の先端に前記駆動基板に宛がわれる弾性部材を備えられていると、前記駆動基板が、前記反射シートと前記第２凸部との間である程度、動ける状態で保持される。その結果、前記駆動基板が前記導光板や前記第２凸部等から力を受けて損傷することが抑制される。
【００２１】
前記表示装置において、前記保持部が、前記駆動基板の板面が前記導光板の板面に対して平行に配されると共に、前記駆動基板が前記表示パネルの厚み方向に沿って移動可能な状態で、前記駆動基板を収容する表側が開口した箱状の第２収容部を含むものであってもよい。このように、前記駆動基板が前記表示パネルの厚み方向に沿って移動可能な状態で、保持されることによって、前記駆動基板と前記フレキシブル基板との接続部分や、前記フレキシブル基板と前記表示パネルとの接続部分に対して応力が集中することが抑制される。その結果、前記フレキシブル基板や前記駆動基板等が破損することが抑制される。
【００２２】
前記表示装置において、前記シャーシは、金属製の板状部材からなるものが好ましい。
【００２３】
前記表示装置において、前記カバー部材は、合成樹脂からなり、前記保持部は一体的に成形されているものが好ましい。
【００２４】
前記表示装置において、前記表示パネルの表側の周縁に宛がわれる接触部と、この接触部から外側に向かって延びると共に前記シャーシと対向する対向部と、この対向部から前記シャーシ側に向かって延設される外壁部とを有するフレームを備えるものが好ましい。
【００２５】
前記表示装置において、前記表示パネルは、一対の基板間に液晶を封入してなる液晶パネルからなるものが好ましい。
【００２６】
本発明に係るテレビ受信装置は、前記表示装置を備える。
【発明の効果】
【００２７】
本発明によれば、額縁部分の小型化が可能な表示装置等を提供できる。
【図面の簡単な説明】
【００２８】
【図１】本発明の実施形態１に係るテレビ受信装置の概略構成を示す分解斜視図
【図２】テレビ受信装置の背面図
【図３】液晶表示装置の概略構成を示す分解斜視図
【図４】液晶表示装置の短辺方向に沿った断面構成を示す断面図
【図５】図４に示される液晶表示装置の拡大断面図
【図６】保持部の一部を拡大して示した斜視図
【図７】実施形態２に係る液晶表示装置の拡大断面図
【図８】実施形態２における保持部の一部を拡大して示した斜視図
【図９】実施形態３に係る液晶表示装置の拡大断面図
【図１０】実施形態３における保持部の一部を拡大して示した斜視図
【図１１】実施形態３におけるプリント基板の平面図
【図１２】実施形態４に係る液晶表示装置の拡大断面図
【図１３】実施形態４における保持部の一部を拡大して示した斜視図
【図１４】実施形態５に係る液晶表示装置の拡大断面図
【図１５】実施形態５における保持部の一部を拡大して示した斜視図
【図１６】実施形態６に係る液晶表示装置の拡大断面図
【図１７】実施形態６における保持部の一部を拡大して示した斜視図
【発明を実施するための形態】
【００２９】
＜実施形態１＞
本発明の実施形態１を、図１から図６を参照しつつ説明する。本実施形態では、テレビ受信装置ＴＶ、及び液晶表示装置１０を例示する。なお、各図面には、Ｘ軸、Ｙ軸及びＺ軸が示されており、各軸方向が各図面において共通の方向となるように描かれている。また、図３及び図４に示される上側を表側（表示面側）とし、同図下側を裏側（背面側）とする。
【００３０】
図１は、本発明の実施形態１に係るテレビ受信装置ＴＶの概略構成を示す分解斜視図であり、図２は、テレビ受信装置ＴＶの背面図である。本実施形態に係るテレビ受信装置ＴＶは、図１に示されるように、液晶表示ユニットＬＤＵと、この液晶表示ユニットＬＤＵの裏側（背面側）に取り付けられる各種基板ＰＷＢ，ＭＢ，ＣＴＢと、液晶表示ユニットＬＤＵの裏側に、各種基板ＰＷＢ，ＭＢ，ＣＴＢを覆う形で取り付けられるカバー部材ＣＶと、スタンドＳＴとを備えている。液晶表示ユニットＬＤＵは、その表示面１１ｃが鉛直方向（Ｙ軸方向）に沿うように、スタンドＳＴによって支持されている。
【００３１】
本実施形態に係る液晶表示装置１０は、上記した構成のテレビ受信装置ＴＶから、少なくともテレビ信号を受信するための構成（メイン基板ＭＢのチューナー部等）を除いたものからなる。液晶表示ユニットＬＤＵは、全体として横長の矩形状をなしており、表示パネルとしての液晶パネル１１と、外部光源としてのバックライト装置（照明装置）１２とを備え、これらが液晶表示装置１０のフレーム１３及びシャーシ１４によって一体的に保持された構成となっている。なお、フレーム１３は、液晶表示装置１０の表側（前側）の外観を構成する部分となっており、また、カバー部材ＣＶは、液晶表示装置１０の裏側の外観を構成する部分となっている。
【００３２】
シャーシ１４の裏面には、図２に示されるように、Ｙ軸方向に沿って延在する形態のスタンド取付部材ＳＴＡがＸ軸方向に離間した二個所に一対取り付けられている。これらスタンド取付部材ＳＴＡは、断面形状がシャーシ１４側の面が開口した略チャンネル型をなしており、シャーシ１４との間に形成される空間内に、スタンドＳＴにおける一対の支柱部ＳＴｂが差し込まれるように構成されている。なお、スタンド取付部材ＳＴＡ内の空間には、バックライト装置１２が有するＬＥＤ基板１８に接続された配線部材（電線等）が通されるようになっている。スタンドＳＴは、Ｘ軸方向及びＺ軸方向に沿って広がる台座部ＳＴａと、台座部ＳＴａからＹ軸方向に沿って立ち上がる一対の支柱部ＳＴｂとからなる。
【００３３】
カバー部材ＣＶは、合成樹脂製であり、シャーシ１４の裏面を、全面的に覆う形で取り付けられている。このカバー部材ＣＶとシャーシ１４との間には、後述する各種基板ＰＷＢ，ＭＢ，ＣＴＢ等の部品を収容可能な空間が形成されている。そして、このカバー部材ＣＶとシャーシ１４との間には、後述するように、ソース基板（駆動基板の一例）が配されている。
【００３４】
各種基板ＰＷＢ，ＭＢ，ＣＴＢとしては、図２に示されるように、電源基板ＰＷＢ，メイン基板ＭＢ及びコントロール基板ＣＴＢが含まれている。電源基板ＰＷＢは、液晶表示装置１０の電力供給源であり、他の各基板ＭＢ，ＣＴＢ及びバックライト装置１２が有するＬＥＤ１７等に駆動電力を供給する。メイン基板ＭＢは、テレビ信号を受信可能なチューナー部（不図示）と、受信したテレビ信号を画像処理する画像処理部（不図示）とを有しており、処理した画像信号をコントロール基板ＣＴＢへ出力する。なお、このメイン基板ＭＢは液晶表示装置１０が、外部の画像再生機器（不図示）に接続された時には、その画像再生機器からの画像信号が入力されるため、その画像信号を画像処理部にて処理し、処理後の信号がコントロール基板ＣＴＢに出力される。コントロール基板ＣＴＢは、メイン基板ＭＢから入力される画像信号を液晶駆動用の信号に変換し、その変換した液晶駆動用の信号を、後述するソース基板を介して液晶パネル１１に供給する機能を有する。
【００３５】
図３は、液晶表示装置１０の概略構成を示す分解斜視図であり、図４は、液晶表示装置１０の短辺方向に沿った断面構成を示す断面図であり、図５は、図４に示される液晶表示装置の拡大断面図である。液晶表示装置１０を構成する液晶表示ユニットＬＤＵは、図３乃至図５に示されるように、その主要な構成部品が、表側に配されるフレーム（フロントフレーム）１３と、裏側に配されるシャーシ（リアシャーシ）１４との間で挟まれた構成となっている。フレーム１３とシャーシ１４との間で挟まれる主要な構成部品には、少なくとも、液晶パネル１１と、光学部材１５と、導光板１６と、ＬＥＤユニット（光源ユニット）ＬＵと、反射シート２０とが含まれている。これらのうち、液晶パネル１１、光学部材１５、導光板１６及び反射シート２０は、相互に積層された状態で、その表側のフレーム１３と、裏側のシャーシ１４とによって、挟み込まれる形で保持される。なお、バックライト装置１２は、主として、光学部材１５と、導光板１６と、ＬＥＤユニットＬＵと、シャーシ１４と、反射シート２０とを含むものからなる。ＬＥＤユニットＬＵは、フレーム１３とシャーシ１４との間において、導光板１６の長辺側における一方の端面１６ｃに沿うように配されている。ＬＥＤユニットＬＵは、光源であるＬＥＤ（ＬＥＤ光源）１７と、ＬＥＤ１７が実装されるＬＥＤ基板（光源基板）１８と、放熱部材（光源支持部材）１９とを備えている。
【００３６】
液晶パネル１１は、図３等に示されるように、平面に視て横長の矩形状をなしている。液晶パネル１１は、透光性に優れた一対のガラス製の基板１１ａ，１１ｂが所定のギャップを隔てた状態で貼り合わせられるとともに、両基板１１ａ，１１ｂ間に液晶が封入された構成となっている。一対の基板１１ａ，１１ｂのうち表側（表示面１１ｃ側）のものがカラーフィルタ（以下、ＣＦ）基板１１ａであり、裏側（背面１１ｄ側）のものがアレイ基板１１ｂである。アレイ基板１１ｂには、互いに直交するソース配線とゲート配線とに接続されたスイッチング素子（例えば、薄膜トランジスタ：ＴＦＴ）と、そのスイッチング素子に接続された画素電極、さらには配向膜等が設けられている。詳しくは、アレイ基板１１ｂには、ＴＦＴ及び画素電極が多数個並んで設けられるとともに、これらＴＦＴ及び画素電極の周りには、格子状をなすゲート配線及びソース配線が取り囲むようにして多数本ずつ配設されている。ゲート配線とソース配線とがそれぞれＴＦＴのゲート電極とソース電極とに接続され、画素電極がＴＦＴのドレイン電極に接続されている。また、アレイ基板１１ｂには、ゲート配線に並行するとともに画素電極に対して平面に視て重畳する容量配線（補助容量配線、蓄積容量配線、Ｃｓ配線）が設けられており、容量配線とゲート配線とがＹ軸方向について交互に並ぶ形で配されている。一方、ＣＦ基板１１ａには、Ｒ（赤色）、Ｇ（緑色）、Ｂ（青色）等の各着色部が所定配列で配置されたカラーフィルタや対向電極、さらには配向膜等が設けられている。なお、両基板１１ａ，１１ｂの外側にはそれぞれ偏光板（不図示）が配されている。
【００３７】
液晶パネル１１を構成する一対の基板１１ａ，１１ｂのうち、アレイ基板１１ｂは、図４等に示されるように、平面に視た大きさがＣＦ基板１１ａよりも大きく設定されている。アレイ基板１１ｂは、その端部がＣＦ基板１１ａの端部よりも外側に突き出す形で配されている。詳しくは、アレイ基板１１ｂは、その外周端部が全周にわたってＣＦ基板１１ａの外周端部よりも外側に突き出すように、ＣＦ基板１１ａよりも一回り大きく形成されている。アレイ基板１１ｂの外周端部を構成する一対の長辺側端部のうち、Ｙ軸方向についてコントロール基板ＣＴＢ側（図３に示される手前側、図４に示される左側）の長辺側端部には、上記したソース配線から引き回されたソース側端子部（不図示）が複数設けられている。各ソース側端子部には、図３に示されるように、フレキシブル基板（フレキシブル配線基板）２１１が接続されている。フレキシブル基板２１１は、Ｘ軸方向（つまり、アレイ基板１１ｂの長辺側端部に沿う方向）について、複数のものが間欠的に並んで配されている。各フレキシブル基板２１１は、アレイ基板１１ｂの長辺側端部から外側に向かって延びている。
【００３８】
これに対して、アレイ基板１１ｂの外周端部を構成する２つの短辺側端部には、上記したゲート配線及び容量配線から引き回されたゲート側端子部（不図示）が、それぞれに複数設けられている。フレキシブル基板１１１は、Ｙ軸方向、つまりアレイ基板１１ｂの短辺側端部に沿う方向について、複数のものが、各短辺側端部において、間欠的に並んで配されている。各フレキシブル基板１１１は、アレイ基板１１ｂの短辺側端部から外側に向かって延びている。本実施形態の場合、アレイ基板１１ｂの各短辺側端部に、それぞれ４個のフレキシブル基板１１１が設けられている。
【００３９】
各フレキシブル基板１１１，２１１は、絶縁性及び可撓性を有する合成樹脂材料（例えばポリイミド系樹脂）からなるフィルム状の基材と、その基材上に実装される液晶駆動用のドライバ（ＩＣチップ）１１２，２１２とを備えている。各フレキシブル基板１１１，２１１の基材上には、多数本の配線パターン（不図示）が形成されており、その配線パターンに、基材の中央付近に実装されているドライバ１１２，２１２が接続されている。前記配線パターンは、銅箔等の金属膜からなる導電路であり、各フレキシブル基板１１１，２１１の基材上に、公知の技術を利用して、適宜、形成されている。
【００４０】
本実施形態の場合、前記ドライバ１１２，２１１が実装されている各フレキシブル基板１１１，２１１は、所謂、ＳＯＦ（Ｓｙｓｔｅｍ  ｏｎ  Ｆｉｌｍ）から構成されている。ただし、ソース側のフレキシブル基板２１１の長さは、ゲート側のフレキシブル基板１１１の長さよりも大きく設定されている。フレキシブル基板２１１は、その一方の端部がアレイ基板１１ｂのソース側端子部に対して異方性導電膜（ＡＣＦ）を介して圧着接続されると共に、他方の端部がソース側のプリント基板（ソース基板）２１３が有する端子部（不図示）に対して異方性導電膜（ＡＣＦ）を介して圧着接続されている。そして、フレキシブル基板２１１を介して、プリント基板２１３とアレイ基板１１ｂ（液晶パネル１１）とが互いに電気的に接続されている。プリント基板（ソース基板）２１３は、図示されない配線部材（ＦＰＣ：フレキシブルプリント基板）を介して上述したコントロール基板ＣＴＢに接続されている。
【００４１】
プリント基板２１３は、コントロール基板ＣＴＢから入力される信号（ゲート配線への走査信号、ソース配線へのデータ信号、容量配線への容量信号等）を、フレキシブル基板２１１に伝送する。なお、プリント基板２１３は、液晶パネル１１の長手方向に沿って延びた長尺状（帯状）をなしている。本実施形態の場合、２本のプリント基板２１３が利用されており、これらは互いに一列に並ぶように、各フレキシブル基板２１１に接続されている。１本分のプリント基板２１３の長手方向における長さは、液晶パネル１１における長辺の半分程度の長さに設定されている。また、プリント基板２１３の短手方向における長さは、プリント基板２１３に形成される配線パターン等の都合上、導光板１６の厚み（Ｚ軸方向における導光板１６の長さ）よりも、長くなっている。なお、プリント基板２１３は、後述するように、シャーシ１４の裏側に配される。
【００４２】
これに対して、フレキシブル基板１１１は、アレイ基板１１ｂのゲート側端子部に対して異方性導電膜（ＡＣＦ）を介して圧着接続される構成となっている。なお、アレイ基板１１ｂには、ソース側端子部とゲート側端子部との間を結ぶ中継配線（図示せず）が形成されている。この中継配線を介して、コントロール基板ＣＴＢから入力される信号（ゲート配線への走査信号、容量配線への容量信号等）が、ゲート側端子部、及びフレキシブル基板１１１に伝送される。このような構成により、液晶パネル１１は、コントロール基板ＣＴＢから入力される信号に基づいてその表示面１１ｃに画像を表示させている。
【００４３】
液晶パネル１１は、図３から図５に示されるように、後述する光学部材１５の表側（光出射側）に積層する形で載せられている。液晶パネル１１の裏側の面（背面１１ｄ、裏側の偏光板の外面）は、光学部材１５に対して殆ど隙間無く密着している。これにより、液晶パネル１１と光学部材１５との間に塵埃等が侵入することが防がれている。液晶パネル１１の表示面（表側の板面）１１ｃは、画面中央側にあって画像が表示可能な表示領域１１ｃ１と、画面外周端側にあって表示領域の周りを取り囲む枠状（額縁状）の非表示領域１１ｃ２とからなる。なお、上記した各端子部及び各フレキシブル基板１１１，２１１は、非表示領域に配されている。
【００４４】
光学部材１５は、図３に示されるように、液晶パネル１１と同様、平面に視て横長の矩形状をなしている。光学部材１５の大きさ（短辺寸法及び長辺寸法）は、液晶パネル１１と同等に設定されている。光学部材１５は、後述する導光板１６の表側（光出射側）に積層する形で載せられており、液晶パネル１１と導光板１６との間に挟み込まれた状態で配されている。光学部材１５は、いずれもシート状をなすと共に、３枚のものが互いに積層して配されたものからなる。光学部材１５の具体例としては、例えば、拡散シート、レンズシート、反射型偏光シートなどが挙げられ、これらの中から適宜、選択したものが使用される。
【００４５】
導光板１６は、屈折率が空気よりも十分に高く且つほぼ透明な（透光性に優れた）合成樹脂材料（例えば、ＰＭＭＡ等のアクリル樹脂やポリカーボネート）からなる。導光板１６は、図３に示されるように、液晶パネル１１及び光学部材１５と同様、平面に視て横長の矩形状をなしている。また、導光板１６は、光学部材１５よりも厚みが大きな板状をなしている。なお、導光板１６は、その主面（板面１６ａ，１６ｆ）における長辺方向がＸ軸方向と一致し、短辺方向がＹ軸方向と一致し、そして主面（板面１６ａ，１６ｆ）と直交する板厚方向がＺ軸方向と一致するように、各図に描かれている。導光板１６は、図４等に示されるように、その表側から見た際の大きさ（短辺寸法及び長辺寸法）が、液晶パネル１１に比べて大きく設定されている。導光板１６の端部が液晶パネル１１の端部よりも外側に突き出す形でそれらは表示装置１０内に配されている。
【００４６】
導光板１６は、その端部が全周にわたって液晶パネル１１のアレイ基板１１ｂにおける外周端部よりも外側に突き出すように液晶パネル１１よりも一回り大きく形成されている。導光板１６は、光学部材１５の裏側に配されており、光学部材１５とシャーシ１４との間で挟まれている。導光板１６の長辺側における一方の端面１６ｃの外側には、ＬＥＤユニットＬＵが配されており、ＬＥＤユニットＬＵからの光が前記端面１６ｃから導光板１６内に導入される。導光板１６は、長辺側の端面１６ｃから導入されたＬＥＤユニットＬＵからの光を内部で伝播させつつ、光学部材１５側（表側）へ向かうように立ち上げて出射させる機能を有する。
【００４７】
導光板１６の板面のうち、表側の板面（光学部材１５との対向面）１６ａが内部の光を光学部材１５及び液晶パネル１１に向けて出射させる光出射面１６ａとなっている。また、導光板１６における主面（板面１６ａ等）に対して隣り合う外周端面のうち、Ｘ軸方向に沿って長手状をなす長辺側の端面１６ｃは、ＬＥＤ１７（ＬＥＤ基板１８）と所定間隔を置いて対向しており、ＬＥＤ１７から発せられた光が入射される光入射面１６ｃとなっている。光入射面１６ｃは、Ｘ軸方向及びＺ軸方向（ＬＥＤ基板１８の主板面）に沿って平行に配されており、光出射面１６ａに対して略直交している。なお、長辺側の端面１６ｂも、Ｘ軸方向及びＺ軸方向に沿って平行に配されており、光出射面１６ａに対して略直交している。また、導光板１６の外周端面のうち、短手状をなす短辺側の両端面１６ｄ，１６ｅは、Ｙ軸方向及びＺ軸方向に沿ってそれぞれ平行に配されており、光出射面１６ａに対して略直交している。
【００４８】
導光板１６の裏側には、導光板１６内の光を光出射面１６側に向けて反射させるための反射シート２０が配されている。反射シート２０は、導光板１６の裏側の板面１６ｆ全域を覆う形で設けられている。なお、反射シート２０は、表示装置１２内において、シャーシ１４と導光板１６との間に挟み込まれた形で配されている。反射シート２０は、表面が光反射性に優れた白色を呈する合成樹脂製のシート（例えば、発泡ポリエチレンテレフタレートシート）からなる。
【００４９】
なお、導光板１６の光出射面１６ａ又は裏側の板面１６ｆの少なくともいずれか一方には、導光板１６内部の光を反射させる反射部（不図示）、又は導光板１６内部の光を散乱させる散乱部（不図示）が所定の面内分布を持つようパターニングされている。それらによって、光出射面１６ａからの出射光が面内において均一な分布となるよう制御されている。
【００５０】
次に、ＬＥＤユニットＬＵを構成するＬＥＤ１７、ＬＥＤ基板１８及び放熱部材１９の構成について説明する。ＬＥＤユニットＬＵを構成するＬＥＤ１７は、図３及び図４に示されるように、ＬＥＤ基板１８に固着される基板部上にＬＥＤチップを樹脂材により封止した構成となっている。基板部に実装されるＬＥＤチップは、主発光波長が１種類からなる。具体的には、青色を単色発光するものがＬＥＤチップとして利用されている。ＬＥＤチップを封止する樹脂材には、ＬＥＤチップから発せられた青色の光により励起されて所定の色を発光する蛍光体が分散配合されている。前記樹脂材は、全体として概ね白色光を発するように構成されている。なお、蛍光体としては、例えば、黄色光を発光する黄色蛍光体、緑色光を発光する緑色蛍光体、及び赤色光を発光する赤色蛍光体の中から適宜、組み合せたものを用いてもよいし、それらを単独で用いてもよい。ＬＥＤ１７は、ＬＥＤ基板１８に対する実装面とは反対側の面（導光板１６の光入射面１６ｃと対向する板面）が主発光面１７ａとなっている、所謂、頂面発光型である。
【００５１】
ＬＥＤ基板１８は、図３及び図４に示されるように、導光板１６の長辺方向（Ｘ軸方向、光入射面１６ｃの長手方向）に沿って延在する細長い板状（帯状、長尺状）をなしている。ＬＥＤ基板１８は、その主面がＸ軸方向及びＺ軸方向に沿った姿勢（つまり、導光板１６の光入射面１６ｃに平行に並んだ姿勢）で、フレーム１３及びシャーシ１４内に収容されている。ＬＥＤ基板１８は、その長手方向の長さ（寸法）が、導光板１６の長辺と同程度に設定されている。ＬＥＤ基板１８の導光板１６側を向いた板面（実装面）１８ａには、ＬＥＤ１７が表面実装されている。ＬＥＤ１７は、ＬＥＤ基板１８の実装面１８ａにおいて、その長さ方向（Ｘ軸方向）に沿って複数のものが所定間隔を置きつつ一列に並んでいる。また、複数個のＬＥＤ１７からなるＬＥＤ列同士が、導光板１６の長辺方向に沿って、互いに平行に並んでいる。Ｘ軸方向において隣り合ったＬＥＤ１７同士の間隔（つまり、ＬＥＤ１７の配列ピッチ）は、略等しく設定されている。なお、ＬＥＤ１７の並び方向は、ＬＥＤ基板１８の長さ方向（Ｘ軸方向）と一致している。
【００５２】
ＬＥＤ基板１８の実装面１８ａには、ＬＥＤ基板１８の長手方向（Ｘ軸方向）に沿って延在すると共に、各ＬＥＤ１７を横切って隣り合ったＬＥＤ１７同士を直列接続する、金属膜（例えば、銅箔）からなる配線パターン（不図示）が形成されている。この配線パターンの両端部に形成された端子部が、コネクタや電線等の配線部材を介して電源基板ＰＷＢに接続されることで、各ＬＥＤ１７に駆動電力が供給されるように構成されている。また、ＬＥＤ基板１８の基材は、例えばアルミニウム等の金属製であり、その表面に絶縁層を介して既述した配線パターン（不図示）が形成されている。そして、その配線パターンを覆うように、前記絶縁層上に白色のソルダーレジスト膜（不図示）が形成されている。なお、ＬＥＤ基板１８の基材に用いる材料としては、セラミック等の絶縁材料を用いることも可能である。
【００５３】
放熱部材１９は、図３及び図４に示されるように、アルミニウム等の熱伝導性に優れた金属製からなる。放熱部材１９は、ＬＥＤ基板１８が取り付けられるＬＥＤ取付部（光源取付部）１９ａと、シャーシ１４の板面に面接触される放熱部１９ｂとを備えており、これらが断面略Ｌ字型の屈曲形状をなしている。放熱部材１９は、その長さ寸法が上記したＬＥＤ基板１８の長さ寸法とほぼ同じ程度に設定されている。ＬＥＤ取付部１９ａは、ＬＥＤ基板１８の板面１８ａ及び導光板１６の光入射面１６ｃに対して平行に配される板状をなしている。ＬＥＤ取付部１９ａの長辺方向はＸ軸方向と一致し、短辺方向はＺ軸方向と一致し、厚さ方向がＹ軸方向と一致するように、各図に描かれている。ＬＥＤ取付部１９ａのうち、内側の板面（つまり、導光板１６側を向いた板面）には、ＬＥＤ基板１８が取り付けられている。ＬＥＤ取付部１９ａは、その長辺寸法がＬＥＤ基板１８の長辺寸法と概ね同等とされるものの、短辺寸法がＬＥＤ基板１８の短辺寸法よりも大きく設定されている。そして、ＬＥＤ取付部１９ａにおける短辺方向の両端部は、ＬＥＤ基板１８の両端部からＺ軸方向に沿って外向きに突出している。
【００５４】
ＬＥＤ取付部１９ａのうち外側の板面（つまり、ＬＥＤ基板１８が取り付けられる板面とは反対側の板面）は、後述するフレーム１３が有する内壁部２２と対向する。つまり、ＬＥＤ取付部１９ａは、フレーム１３の内壁部２２と導光板１６との間に介在する形で表示装置１２内に配されている。ＬＥＤ取付部１９ａは、放熱部１９ｂにおける内側の端部（つまり、ＬＥＤ１７（導光板１６）側の端部）からＺ軸方向（液晶パネル１１、光学部材１５及び導光板１６の重なり方向）に沿って表側（つまり、フレーム１３側）に向けて立ち上がっている。
【００５５】
放熱部１９ｂは、図３及び図４に示されるように、シャーシ１４の板面に対して平行に並んだ板状をなしている。放熱部１９ｂの長辺方向がＸ軸方向と一致し、短辺方向がＹ軸方向と一致し、厚さ方向がＺ軸方向と一致するように各図に示されている。放熱部１９ｂは、ＬＥＤ取付部１９ａにおける裏側（下側）の端部（つまり、シャーシ１４側の端部）からＹ軸方向に沿って外側（つまり、導光板１６側とは反対側）に向けて突出している。放熱部１９ｂは、その長辺寸法がＬＥＤ取付部１９ａと略同じに設定されている。放熱部１９ｂの裏側（下側）の板面（つまり、シャーシ１４側を向いた板面）は、その全域がシャーシ１４の板面に対して面接触されている。そして、放熱部１９ｂの表側（上側）の板面（つまり、シャーシ１４に対する接触面とは反対側の板面）は、後述するフレーム１３が有する内壁部２２の下端面に対して接触されている。つまり、放熱部１９ｂは、フレーム１３の内壁部２２とシャーシ１４との間に挟み込まれる（介在される）形で配されている。これにより、ＬＥＤ１７の点灯に伴って発生した熱は、ＬＥＤ基板１８、ＬＥＤ取付部１９ａ及び放熱部１９ｂを介して、シャーシ１４及び内壁部２２を有するフレーム１３へと伝達される。このようにして、ＬＥＤ１７からの熱が液晶表示装置１０の外部へと効率的に放散され、装置内部に熱が籠ることが抑制されている。また、放熱部１９ｂには、ネジ部材ＳＭが通される挿通孔１９ｂ１が設けられている。放熱部１９ｂは、フレーム１３の内壁部２２に対して、ネジ部材ＳＭを利用して固定される。
【００５６】
次いで、フレーム１３及びシャーシ１４の構成について説明する。フレーム１３及びシャーシ１４は、いずれもアルミニウム等の金属製であり、機械的強度（剛性）、熱伝導性等に優れる。フレーム１３及びシャーシ１４は、ＬＥＤユニットＬＵを収容しつつ、液晶パネル１１、光学部材１５、導光板１６及び反射シート２０からなる積層物を、その表側と裏側とから挟み込む形で保持する。
【００５７】
フレーム１３は、図３から図５に示されるように、液晶パネル１１の表示面１１ｃにおける表示領域１１ｃ１を取り囲むような枠状をなすと共に、全体として横長の矩形状をなしている。フレーム１３は、主として、液晶パネル１１の表側に配される枠状の対向部１３ａと、この対向部１３ａの外縁部分からシャーシ１４側に向かって延びる外壁部１３ｂと、前記対向部１３ａの内縁部分から液晶パネル１１側に向かって突出した形をなすと共に、表示領域１１ｃ１の周縁に配されている非表示領域１１ｃ２に宛がわれる接触部１３ｃとを備えている。
【００５８】
対向部１３ａは、フレーム１３の長辺側に配される長手対向部１３ａ１と、その短辺側に配される短手対向部１３ａ２とに分けられる。外壁部１３ｂは、フレーム１３の長辺側に配される長手外壁部１３ｂ１と、その長辺側に配される短手外壁部１３ｂ２とに分けられる。接触部１３ｃは、フレーム１３の長辺側に配される長手接触部１３ｃ１と、その短辺側に配される短手接触部１３ｃ２とに分けられる。なお、フレーム１３が備える２つの長辺側部分のうち、一方は、ソース側のフレキシブル基板２１１等が配され、他方は、ＬＥＤユニットＬＵが配される構成となっているものの、これらは、基本的には、互いに同じ構造を備えている。また、フレーム１３が備える２つの短辺側部分についても、基本的には、互いに同じ構造を備えている。
【００５９】
対向部１３ａは、表示面１１ｃにおける非表示領域１１ｃ２を覆うように、液晶パネル１１の表側に配される。対向部１３ａは、接触部１３ｃから外側（フレーム１３の外縁側）に向かって延びると共に、後述するシャーシ１４の張出板２４ｃ，２４ｄ，２４ｅと対向する。長手対向部１３ａ１と、短手対向部１３ａ２とは、それぞれ全体的には、シャーシ１４の板面（液晶パネル１１の板面）に沿って広がった所定の厚みを有する板状をなしている。図４に示されるように、長手対向部１３ａ１の裏側には、導光板押さえ部２３が下側（シャーシ１４側）に向かって突出した形で設けられている。導光板押さえ部２３は、長手外壁部１３ｂ１と、長手接触部１３ｃ１との間に配されている。また、長手対向部１３ａ１の裏側において、導光板押さえ部２３と長手外壁部１３ｂとの間に、内壁部２２が下側に向かって突出した形で設けられている。
【００６０】
各長手対向部１３ａ１が備えている導光板押さえ部２３は、導光板１６の長辺側の端部（周縁）を、表側からシャーシ１４側に向かって押え付ける部分となっている。導光板押さえ部２３は、フレーム１３（対向部１３ａ）の長辺方向に沿って細長く延びた形をなしている。なお、一方の長手対向部１３ａ１が備えている導光板押さえ部２３には、フレーム１３の短辺方向（Ｙ軸方向）に沿って貫通する切り欠き部２３ａが部分的に設けられている。この切り欠き部２３ａには、液晶パネル１１の端部に設けられているソース側のフレキシブル基板２１１が通されている。導光板押さえ部２３と内壁部２２との間には隙間があり、この隙間に、ＬＥＤユニットＬＵのＬＥＤ基板１８及びＬＥＤ１７が配されている。
【００６１】
長手対向部１３ａ１が備えている長手接触部１３ｃ１は、液晶パネル１１の長辺側の端部（非表示領域１１ｃ２）を、表側からシャーシ１４（導光板１６）側に向かって押さえる部分となっている。長手接触部１３ｃ１は、フレーム１３（対向部１３ａ）の長辺方向に沿って細長く延びた形をなしている。長手接触部１３ｃ１の突出した先端部分１３１は、遮光性を有する弾性体（例えば、黒色のゴム弾性体）からなる。長手接触部１３ｃ１は、その先端部分１３１が、液晶パネル１１の非表示領域１１ｃ２に宛がわれるように設定されている。図４に示されるように、長手接触部１３ｃ１と導光板押さえ部２３との間には隙間があり、この隙間に、フレキシブル基板２１１と接続する液晶パネル１１の端部が配されている。
【００６２】
なお、短手対向部１３ａ２の裏側にも、導光板押さえ部（不図示）が下側（シャーシ１４側）に向かって突出した形で設けられている。短手対向部１３ａ２が備えている導光板押さえ部は、導光板１６の短辺側の端部（周縁）を、表側からシャーシ１４側に向かって押さえる部分となっている。短手対向部１３ａ２が備えている導光板押さえ部は、全体的には、フレーム１３（対向部１３ａ）の短辺方向に沿って概ね細長く延びた形をなしている。そして、前記導光板押さえ部には、フレーム１３の長辺方向（Ｘ軸方向）に沿って貫通する切り欠き部（不図示）が部分的に設けられている。この切り欠き部には、ゲート側のフレキシブル基板１１１が通される。短手対向部１３ａ２に設けられている細長く延びた導光板押さえ部の端部（末端）は、長手対向部１３ａ１に設けられている導光板押さえ部２３の端部（末端）に接続されている。つまり、導光板押さえ部２３等は、全体的には、液晶パネル１１の表示領域１１ｃ１を取り囲む枠状をなしている。
【００６３】
短手対向部１３ａ２が備えている短手接触部（不図示）は、液晶パネル１１の短辺側の端部（非表示領域１１ｃ２）を、表側からシャーシ１４（導光板１６）側に向かって押せる部分となっている。短手接触部は、フレーム１３（対向部１３ａ）の短辺方向に沿って細長く延びた形をなしている。短手接触部の突出した先端部分（不図示）は、長手接触部１３ｃ１と同様、遮光性を有する弾性体（例えば、黒色のゴム弾性体）からなる。短手接触部は、その先端部分が、液晶パネル１１の非表示領域１１ｃ２に宛がわれるように設定されている。なお、短手対向部に設けられている細長く延びた短手接触部の端部（末端）は、長手対向部１３ａ１に設けられている長手接触部１３ｃ１の端部（末端）に接続されている。つまり、接触部１３ｃは、全体的には、液晶パネル１１の表示領域１１ｃ１を取り囲むと共に、非表示領域１１ｃ２に宛がわれる枠状をなしている。
【００６４】
外壁部１３ｂは、全体的には、液晶パネル１１等の周りを囲むと共に、対向部１３ａからシャーシ１４（カバー部材ＣＶ）側に延びた枠状（筒状）をなしている。外壁部１３ｂは、対向部１３ａの外縁部分に設けられている。外壁部１３ｂは、液晶パネル１１、光学部材１５、導光板１６及び反射シート２０からなる積層物の周り（端面）を囲むように配されている。
【００６５】
長手外壁部１３ｂ１は、図４に示されるように、長手対向部１３ａ１の外縁部分から下方（シャーシ１４側、カバー部材ＣＶ側）に向かって真っ直ぐに延びた所定の厚みを有する板状（壁状）をなしている。そして、長手外壁部１３ｂ１は、カバー部材ＣＶの立壁部ＣＶｂ，ＣＶｃの外側に配される形となっている。短手外壁部１３ｂ２も、長手外壁部１３ｂ１と同様、短手対向部１３ａ２の外縁部分から下方（シャーシ１４側、カバー部材ＣＶ側）に向かって真っ直ぐに延びた所定の厚みを有する板状（壁状）をなしている。
【００６６】
導光板１６の端面１６ｂ側に配されている内壁部２２は、導光板１６の端面１６ｂとの間に空間Ｓ１が形成されるように、長手対向部１３ａ１からカバー部材ＣＶ側（シャーシ１４側）に向かって延設されている。なお、後述するように、空間Ｓ１には、フレキシブル基板２１１が配される。これに対して、導光板１６の端面１６ｃ側に配されている内壁部２２は、導光板１６の端面１６ｃとの間に空間Ｓ２が形成されるように、長手対向部１３ａ１からカバー部材ＣＶ側（シャーシ１４側）に向かって延設されている。空間Ｓ２には、ＬＥＤユニットＬＵの大部分が配されている。なお、ＬＥＤユニットＬＵ側の内壁部２２の下端部（先端部）には、ネジ部材ＳＭを螺着可能な溝部１３ｄが形成されている。ネジ部材ＳＭがシャーシ１４のネジ孔２５ａと共に放熱部材１９の挿通孔１９ｂ１に挿通された状態で、溝部１３ｄに螺着されると、ＬＥＤユニットＬＵ及びシャーシ１４が、フレーム１３に対して固定される。なお、短手対向部１３ａ２にも、長手対向部１３ａ１と同様な、内壁部（不図示）が形成されている。
【００６７】
シャーシ１４は、全体的には、液晶パネル１１等と同様、横長の矩形状をなした板状部材からなり、導光板１６の裏側の板面１６ｆを覆う形で、液晶表示ユニットＬＤＵ（液晶表示装置１０）の背面側に配されている。シャーシ１４は、矩形状をなす板状の底板１４ａと、この底板１４ａの各端部に立設される立壁板１４ｃ，１４ｄ，１４ｅと、これらの立壁板１４ｃ，１４ｄ，１４ｅから底板１４ａの反対側（外側）に向かって張り出す張出板２４ｃ，２４ｄ，２４ｅとを備えている。底板１４ａは、反射シート２０を介して導光板１６の裏側の板面１６ｆに対して宛がわれる部分であり、シャーシ１４の大部分を占めている。この底板１４ａは、反射シート２０を介して導光板１６の裏側の板面１６ｆに対して密着している。
【００６８】
立壁板１４ｃ，１４ｄ，１４ｅは、矩形状をなす底板１４ａのうち、長辺側の１つの端部を除いた３つの端部に設けられている。各立壁板１４ｃ，１４ｄ，１４ｅは、底板１４ａと同程度の厚みを有する板状部材からなる。立壁板１４ｃは、底板１４ａの長辺側の端部に立設されており、残りの立壁板１４ｄ，１４ｅは、底板１４ａの短辺側の端部に立設されている。なお、立壁板１４ｃ，１４ｄ，１４ｅは、底板１４ａから液晶パネル１１側とは反対側に向かって立設されている長辺側の立壁板１４ｃは、底板１４ａの長辺方向に沿って細長く延びた板状（壁状）をなしている。本実施形態の場合、立壁板１４ｃは、図４等に示されるように、導光板１６の長辺側の端面１６ｄよりも内側（表示面１１ｃ側）に配されている。長辺側の立壁板１４ｃから、底板１４ａの反対側（外側）に向かって張出板２４ｃが設けられている。張出板２４ｃは、底板１４ａの長辺方向に沿って細長く延びると共に、底板１４ａと同程度の厚みを有する板状部材からなる。長辺側の張出板２４ｃは、図４に示されるように、長手対向部１３ａ１と対向している。また、張出板２４ｃは、放熱部材１９の放熱部１９ｂが接触する部分となっている。張出板２４ｃは、放熱部１９ｂを介して内壁部２２と対向する部分となっている。
【００６９】
これに対して、短辺側の立壁板１４ｄ，１４ｅは、底板１４ａの短辺側の端部に立設されている。立壁板１４ｄ，１４ｅは、底板１４ａから液晶パネル１１側とは反対側に向かって立設されている。立壁板１４ｄ，１４ｅは、底板１４ａの短辺方向に沿って細長く延びた板状（壁状）をなしている。立壁板１４ｄ，１４ｅは、導光板１６の短辺側の端面１６ｄ，１６ｅよりも内側に配されている。つまり、立壁板１４ｄ，１４ｅは、導光板１６の各端面１６ｄ，１６ｅよりも奥まった状態となっている。そして、これらの短辺側の立壁板１４ｄ，１４ｅから、底板１４ａの反対側（外側）に向かって張出板２４ｄ，２４ｅがそれぞれ設けられている。短辺側の張出板２４ｄ，２４ｅも、長辺側と同様、全体的には、底板１４ａと同程度の厚みを有する板状部材からなる。短辺側の張出板２４ｄ，２４ｅは、短手対向部１３ａ２と対向している。また、張出板２４ｄ，２４ｅは、短辺側の内壁部に接触した状態で対向している。
【００７０】
シャーシ１４の各張出板２４ｃ，２４ｄ，２４ｅには、挿通孔２５ａ、２５ｃ等がそれぞれ設けられており、これらはシャーシ１４をフレーム１３に固定するために利用されるネジ部材ＳＭが挿通される孔となっている。シャーシ１４がフレーム１３に固定されることによって、液晶パネル１１、光学部材１５、導光板１６及び反射シート２０からなる積層物と、その周縁に配されているＬＥＤユニットＬＵとが、フレーム１３及びシャーシ１４によって挟み付けられた状態で保持される。
【００７１】
フレーム１３に設けられている接触部１３ｃは、液晶パネル１１の表側の周縁にある非表示領域１１ｃ２に宛がわれた状態で、シャーシ１４の底板１４ａとの間で前記積層物を挟持している。また、フレーム１３に設けられている導光板押さえ部２３等は、導光板１６の表側の周縁に宛がわれた状態で、シャーシ１４の底板１４ａとの間で前記積層物を挟持している。
【００７２】
シャーシ１４の背面側には、カバー部材ＣＶが配されている。カバー部材ＣＶは、上述したように、液晶表示装置１０（テレビ受信装置ＴＶ）の背面側の外観を構成する部分となっており、合成樹脂製から形成されている。カバー部材ＣＶは、全体的には、表側が開口した浅底の箱状をなしており、液晶表示ユニットＬＤＵの背面側に、ネジ等の固定部材（不図示）を利用して固定されている。カバー部材ＣＶは、液晶パネル１１等と同様な矩形状のカバー底板ＣＶａと、このカバー底板ＣＶａの周縁から液晶パネル１１側に向かって立設するカバー周壁部ＣＶｂ，ＣＶｃ，ＣＶｄ，ＣＶｅとを備えている。カバー底板ＣＶａの長辺側の端部に、カバー周壁部ＣＶｂ，ＣＶｃが立設され、その短辺側の端部に、カバー周壁部ＣＶｄ，ＣＶｅが立設されている。そして、カバー底板ＣＶａのうち、カバー周壁部ＣＶｂの近くに、凸部（第１凸部）からなる保持部３０が形成されている。
【００７３】
保持部３０は、カバー部材ＣＶの一部であり、底板Ｃｖａに対して一体的に形成されている。保持部３０は、長辺側のカバー周壁部ＣＶｂに沿って、平行に長く延びた形状をなしている。保持部３０は、シャーシ１４の底板１４ａとの間で、プリント基板（ソース基板、駆動基板の一例）２１３を保持する部分となっている。図６は、保持部３０の一部を拡大して示した斜視図である。図６には、カバー部材のカバー底板ＣＶａに形成されている保持部３０を表側から見た状態が示されている。保持部３０は、カバー底板ＣＶａから液晶パネル１１側（シャーシ１４側）に向かって凸状に盛り上がった形をなしており、その先端部に、平坦な接触面３０ａを備えている。この接触面３０ａは、プリント基板２１３の一方の板面２１３ａと接触する部分となっている。本実施形態の場合、保持部３０は、カバー底板ＣＶａ上に２個所設けられており、２つのプリント基板２１３に対して１つずつ割り当てられている。
【００７４】
図５に示されるように、ソース側のプリント基板２１３は、底板１４ａの裏側の板面と、カバー部材ＣＶが備える凸部からなる保持部３０との間で挟持された状態で、液晶表示装置１０内に収容されている。プリント基板２１３と底板１４ａとの間には、絶縁性の合成樹脂からなる絶縁シート２１が介在されている。プリント基板２１３は、シャーシ１４の底板１４ａのうち、導光板１６の端面１６ｂが配されている側の端部に、前記絶縁シート２１を介した状態で宛がわれている。前記絶縁シート２１には、プリント基板２１３の他方の板面２１３ｂが接触する形となっている。
【００７５】
絶縁シート２１は、プリント基板２１３よりも一回り大きな長尺状（矩形状）をなしており、２つのプリント基板２１３に対して、１つずつ割り当てられている。２つのプリント基板２１３は、図２に示されるように、底板１４ａの長辺側の端部に、長辺方向に沿って一列に並んだ状態で配されている。また、プリント基板２１３の板面２１３ａは、保持部３０の接触面３０ａと接触し、対向する部分となっている。なお、保持部３０の接触面３０ａの大きさは、プリント基板２１３の板面２１３ａよりも小さく設定されている。そのため、プリント基板２１３の板面２１３ａは、保持部３０の接触面３０ａに対して、部分的に接触する形となっている。また、プリント基板２１３の板面２１３ａ、２１３ｂは、底板１４ａの板面に対して平行に配されている。
【００７６】
プリント基板２１３と、液晶パネル１１のアレイ基板１１ｂとの間を接続するフレキシブル基板２１１は、図５に示されるように、導光板１６の端面１６ｂの外側を通るように、導光板１６の表側にある液晶パネル１１の端部からシャーシ１４の外側（裏側）の端部にかけて、略Ｕ字状（円弧状）に撓んだ形をなしている。このようにフレキシブル基板２１１が略Ｕ字状（円弧状）に撓むことによって、プリント基板２１３を底板１４ａの裏側に回り込ませる形となっている。また、フレキシブル基板２１１は、内壁部２２と導光板１６の端面１６ｂとの間にある空間Ｓ１内に配されている。そして、導光板１６の端面１６ｂと、フレキシブル基板２１１との間には、隙間があり、この隙間に、ドライバ２１２が配されている。ドライバ２１２は、導光板１６の端面１６ｂと対向する部分のフレキシブル基板２１１上に実装されている。なお、フレキシブル基板２１１の一端は、保持部３０と接触する側のプリント基板２１３の板面２１３ａ上に配され、フレキシブル基板２１１の他端は、液晶パネル１１のアレイ基板１１ｂの端部に配されている。プリント基板２１２を、底板１４ａの裏側に配置すると、液晶表示装置１０の厚み（Ｚ軸方向）を小さく設定することが可能となる。
【００７７】
プリント基板２１３は、シャーシ１４の底板１４ａやカバー部材ＣＶに対して、ビス等の固定手段を利用して固定されるものではなく、上述したように、底板１４ａと、カバー部材ＣＶが備える凸部からなる保持部３０との間で挟まれた状態で保持されるものである。そのため、プリント基板２１２の基材部分が熱膨張した場合や、振動等によってプリント基板２１２に力が加えられた場合等であっても、プリント基板２１２は、シャーシ１４やカバー部材ＣＶに対して、若干、移動することができる。つまり、プリント基板２１２は、シャーシ１４やカバー部材ＣＶに対して、完全に固定されている訳ではなく、若干の移動（位置ずれ）が許容された状態で、シャーシ１４とカバー部材ＣＶとの間で保持されている。そのため、プリント基板２１３に対して、大きな外力（ストレス）が加えられることが抑制される。また、プリント基板２１３上に形成されている配線パターンや実装部品が、振動等によって底板１４ａに対して強く押し付けられて破損し、プリント基板２１３がショート破壊すること等が抑制される。
【００７８】
なお、フレキシブル基板２１１は、導光板１６の端部（特に、端面１６ｂと板面１６ａとの境界部分、端面１６ｂと板面１６ｆとの境界部分）や、底板１４ａの端部（導光板１６の端面１６ｂ側に配される端部）に対して、接触しないように設定されている。また、フレキシブル基板２１１は、フレーム１３やカバー部材ＣＶと接触しないように設定されている。
【００７９】
ここで、液晶表示装置１０の各構成部品の組み立て工程を説明する。先ず、フレーム１３が、所定の作業台上に設置される。その際、作業台上のフレーム１３は、その表側が下側（作業台側）を向くと共に、その裏側が上側を向いた状態となっている。つまり、フレーム１３は、作業台上に裏返しの状態で設置される。次いで、作業台上のフレーム１３の上側（つまり、フレーム１３の裏側）に、液晶パネル１１が組み付けられる。その際、液晶パネル１１は、ＣＦ基板１１ａが下側（作業台側）に配され、かつアレイ基板１１ｂ側が上側に配された状態となっている。また、液晶パネル１１にフレキシブル基板２１１を介して接続されているソース側のプリント基板２１２は、フレーム１３の内側に一時的に配される（仮置きされる）。更に、フレーム１３の接触部１３ｃは、液晶パネル１１の非表示領域１１ｃ２に宛がわれた状態となっている。次いで、光学部材１５が液晶パネル１１の裏側（背面１１ｄ側）に載せられる。
【００８０】
その後、ＬＥＤユニットＬＵが、放熱部材１９のＬＥＤ取付部１９ａが下側に配され、かつ放熱部１９ｂが上側に配された状態で、一方の長手対向部１３ａ１形成されている内壁部２２上に載せられる。そして、光学部材１５上に、導光板１６が載せられる。その際、導光板１６は、光出射面１６ａとなる表側の板面１６ａが下側に配され、かつ裏側の板面１６ｆが上側に配された状態となっている。そして、導光板１６は、その表側の板面１６ａにおける周縁部分が、フレーム１３の導光板押さえ部２３等と接触した状態で、フレーム１３上に載せられている。なお、導光板１６は、その端面（光入射面）１６ｃとＬＥＤユニットＬＵとの間隔（距離）が、所定間隔となるように、フレーム１３に対して位置決めされている。
【００８１】
次いで、導光板１６の裏側の板面１６ｆ上に、反射シート２０が載せられる。そして、反射シート２０を介して導光板１６の裏側の板面１６ｆを覆う形で、シャーシ１４がフレーム１３に組み付けられる。その際、ＬＥＤユニットＬＵも、ネジ部材ＳＭを利用してフレーム１３の内壁部２２に固定される。そして、フレーム１３の内側に一時的に配されていたプリント基板２１２が、絶縁シート２１を介して底板１４ａの裏側の板面上に載せられる。このような工程を経て、液晶表示ユニットＬＤＵの各構成部品が組み立てられる。
【００８２】
その後、液晶表示ユニットＬＤＵに対して、その裏側面に、スタンド取付部材ＳＴＡ及び各種基板ＰＷＢ，ＭＢ，ＣＴＢが組み付けられ、更に、スタンドＳＴ及びカバー部材ＣＶが取り付けられる。カバー部材ＣＶは、接触面３０ａが板面２１３ａに対して接触するように、保持部３０がプリント基板２１３に対して位置合わせされつつ、液晶表示ユニットＬＤＵ（シャーシ１４やフレーム１３）に対して組み付けられる。すると、プリント基板２１３は、シャーシ１４の底板１４ａとカバー部材ＣＶの保持部３０との間で、挟まれた状態で保持されることになる。以上のような工程を経ることによって、本実施形態の液晶表示装置１０（テレビ受信装置ＴＶ）が得られる。
【００８３】
このような液晶表示装置１０の電源をＯＮ（オン）状態にすると、電源基板ＰＷＢからの電力供給を受けてコントロール基板ＣＴＢから各種信号が液晶パネル１１に供給されてその駆動が制御されると共に、バックライト装置１２を構成する各ＬＥＤ１７が点灯駆動される。各ＬＥＤ１７が駆動して、各ＬＥＤ１７から光が発せられると、導光板１６の光入射面１６ｃからその内部に光が入射される。入射された光は、導光板１６の裏側に敷かれている反射シート２０で反射等されて導光板１６内を進みつつ、その表側の板面（光出射面１６ａ）から光学部材１５に向かって出射される。出射された光は、光学部材１５を通過することによって面状に略均一に広がった光となって、液晶パネル１１の背面１１ｄを照らす。液晶パネル１１は、この面状に広がった光を利用して、表示面１１ｃの表示領域１１ｃ１に画像を表示させている。
【００８４】
本実施形態に係る液晶表示装置１０は、画像が表示される表示面１１ｃを表側に含む液晶パネル（表示パネル）１１と、液晶パネル１１の裏側に配される板状部材であって、前記板状部材の表側の板面１６ａからなり液晶パネル１１の裏側に向かって光を出射する光出射面１６ａを有する導光板１６と、導光板１６の裏側に配される板状部材であって、表側の板面が導光板１６の裏側の板面１６ｆと対向するシャーシ１４（底板１４ａ）と、液晶パネル１１の表示駆動を制御し、シャーシ１４の裏側に配されるプリント基板（駆動基板）２１３と、液晶パネル（表示パネル）１１とプリント基板（駆動基板）２１３との間を電気的に接続する可撓性を備えたフレキシブル基板２１１と、シャーシ１４との間でプリント基板（駆動基板）２１３を保持する保持部３０を有し、シャーシ１４の裏側に配されるカバー部材ＣＶと、を備える。
【００８５】
液晶表示装置１０において、液晶パネル１１の裏側に、導光板１６が配されており、更に導光板１６の裏側に、シャーシ１４が配されている。液晶パネル１１の表示駆動を制御するプリント基板２１３は、可撓性を備えたフレキシブル基板２１１を介して液晶パネル１１に対して電気的に接続されている。そして、プリント基板２１３は、シャーシ１４の裏側に配されている。また、シャーシ１４の裏側にはカバー部材ＣＶが配されている。このカバー部材ＣＶは、シャーシ１４との間でプリント基板２１３を保持する保持部３０を備えている。このように、プリント基板（駆動基板）を、カバー部材ＣＶが備えている保持部３０によって保持させることによって、液晶表示装置１９における液晶パネル１１の周りを囲む額縁部分を狭小化することができる。例えば、液晶表示装置１０は、プリント基板２１３を導光板１６の端面１６ｂの外側に起立させた状態で配置した場合と比べて、額縁部分を狭小化することができる。特に、液晶表示装置１０の額縁部分における厚みを小さくすることができる。
【００８６】
また、本実施形態の液晶表示装置１０において、保持部３０は、シャーシ１４との間で、プリント基板２１３を挟持する凸部（第１凸部）を含んでいる。このように、保持部３０としては、凸部（第１凸部）を含むものであってもよい。
【００８７】
また、本実施形態の液晶表示装置１０は、シャーシ１４とカバー部材ＣＶとの間に配される絶縁シート２１を備え、第１凸部（保持部）３０は、シャーシ１４との間で、絶縁シート２１を介した状態でプリント基板（駆動基板）２１３を挟持するものである。液晶表示装置１０が、このような構成を備えていると、プリント基板（駆動基板）２１３とシャーシ１４とが互いに電気的に接続されること（漏電すること）が抑制されると共に、プリント基板（駆動基板）２１３がシャーシ１４との接触によって損傷することが抑制される。
【００８８】
また、本実施形態の液晶表示装置１０において、シャーシ１４は、金属製の板状部材からなり、カバー部材ＣＶは、合成樹脂からなり、保持部３０は一体的に成形されている。保持部３０が、カバー部材ＣＶの一部として一体的に形成されていると、保持部が別部材からなる場合と比べて、部品点数の削減を図ることができる。
【００８９】
＜実施形態２＞
以下、本発明の実施形態２を、図７及び図８を参照しつつ説明する。なお、以降の実施形態では、実施形態１と同じ部分については、実施形態１と同じ符号を付し、その詳細な説明は省略する。本実施形態では、液晶表示装置１０Ａを例示する。図７は、実施形態２に係る液晶表示装置１０Ａの拡大断面図であり、図８は、実施形態２における保持部３０Ａの一部を拡大して示した斜視図である。図７に示される液晶表示装置１０Ａの断面構成は、図５に示される実施形態１の液晶表示装置１０の断面構成に対応している。本実施形態の液晶表示装置１０Ａでは、保持部（第１凸部）３０Ａとして、その先端面３０Ａａ上に弾性部材３１Ａが形成されたものが利用される。
【００９０】
液晶表示装置１０Ａのカバー部材ＣＶＡは、保持部３０Ａ（及び弾性部材３１Ａ）以外の構成は、実施形態１のものと同様である。弾性部材３１Ａは、弾性変形可能な弾性材料（例えば、ウレタンフォーム等）からなり、保持部３０Ａの先端面３０Ａａ全域を覆う形で、設けられている。図７に示されるように、弾性部材３１Ａは、プリント基板２１３の板面２１３ａと接触する。なお、プリント基板２１３の他の板面２１３ｂは、実施形態１と同様、底板１４ａの裏側の板面上に載せられている絶縁シート２１と接触される。
【００９１】
プリント基板２１３は、シャーシ１４の裏側の板面と、保持部３０Ａの弾性部材３１Ａとの間で、挟まれた状態で保持される。本実施形態の場合、プリント基板２１３の一方の板面２１３ａが弾性部材３１によって押さえられているため、プリント基板２１３が、実施形態１の場合と比べて、動き易くなっており、その自由度が高くなっている。
【００９２】
このように、本実施形態の液晶表示装置１０Ａにおいて、保持部（第１凸部）３０Ａの先端に、プリント基板（駆動基板）２１３に宛がわれる弾性部材３１Ａが備えられていると、上述したように、プリント基板（駆動基板）２１３が、シャーシ１４の底板１４ａと保持部（第１凸部）３０Ａとの間である程度、動ける状態で保持されることになる。その結果、プリント基板２１３がシャーシ１４や保持部（第１凸部）３０Ａ等から力を受けて、損傷することが抑制される。
【００９３】
＜実施形態３＞
次いで、本発明の実施形態３を、図９から図１１を参照しつつ説明する。本実施形態では、液晶表示装置１０Ｂを例示する。図９は、実施形態３に係る液晶表示装置１０Ｂの拡大断面図であり、図１０は、実施形態３における保持部３０Ｂの一部を拡大して示した斜視図であり、図１１は、実施形態３におけるプリント基板２１３の平面図である。なお、図９に示される液晶表示装置１０Ｂの断面構成は、図５に示される実施形態１の液晶表示装置１０の断面構成に対応している。
【００９４】
本実施形態の液晶表示装置１０Ｂでは、保持部３０Ｂとして、柱部３０Ｂ２を含むものが利用される。保持部３０Ｂは、実施形態１等と異なり、保持部３０Ｂの表側にある板面３０Ｂａからシャーシ１４（底板１４ａ）側に向かって、円柱状の柱部３０Ｂ２が設けられている。図１１に示されるように、長手状をなしたプリント基板２１３Ｂａの両端には、柱部３０Ｂ２を貫通させるための孔部２１３Ｂ１がそれぞれ設けられている。この孔部２１３Ｂ１に対応して、保持部３０Ｂには、２つの柱部３０Ｂ２が設けられている。なお、カバー部材ＣＶＢには、実施形態１と同様、２つの保持部３０Ｂが設けられている。カバー部材ＣＶＢの保持部３０Ｂ以外の構成は、基本的に、実施形態１と同様である。
【００９５】
孔部２１３Ｂ１は、プリント基板２１３Ｂａを厚み方向に貫通する孔からなり、その大きさ（内径）は、柱部３０Ｂ２の外径（直径）に対して、ある程度、大きく設定されている。そのため、柱部３０Ｂ２を、孔部２１３Ｂ１に挿通した際、柱部３０Ｂ２の外周面と、と孔部２１３Ｂ１の内縁との間には、隙間が形成される。つまり、柱部３０Ｂ２は、孔部２１３Ｂ１に対して遊嵌されており、プリント基板２１３Ｂは、柱部３０Ｂ２に沿って、上下方向（液晶パネル１１の厚み方向、Ｚ軸方向）に移動することができる。
【００９６】
保持部３０Ｂは、実施形態１と同様、カバー底板ＣＶａ上に立設されており、その先端に、平坦な板状をなした部分（板状部分）３０Ｂ１を備えている。この板状部分３０Ｂ１の表側の板面３０Ｂａ上に、上述した柱部３０Ｂ２が立設されている。本実施形態の場合、柱部３０Ｂ２の板面３０Ｂａからの高さは、プリント基板２１３Ｂａの厚みの２倍程度に設定されている。柱部３０Ｂ２の先端面は、底板１４ａの裏側の板面上に直接、宛がわれる部分となっている。
【００９７】
プリント基板２１３Ｂａと液晶パネル１１との間を接続するフレキシブル基板２１１は、可撓性を備えつつ、ある程度の弾性を備えている。フレキシブル基板２１１が、液晶パネル１１の端部とプリント基板２１３Ｂの端部との間を、略Ｕ字状（円弧状）に撓むと、プリント基板２１３Ｂが保持部３０Ｂの板面３０Ｂａ側に近付くように、フレキシブル基板２１１の弾性力が作用する。つまり、プリント基板２１３Ｂには、一方の板面２１３Ｂａが保持部３０Ｂの板面３０Ｂａに近付くと共に、他方の板面２１３Ｂｂがシャーシ１４の底板１４ａから離れるように、フレキシブル基板２１１の弾性力が作用する。そのため、通常は、プリント基板２１３Ｂは、保持部３０Ｂの板面３０Ｂａ側に近付いた状態で配されている。本実施形態のプリント基板２１３Ｂは、その厚み方向（Ｚ軸方向）において、柱部３０Ｂ２に沿って移動可能であり、また、Ｘ軸及びＹ軸方向においても、孔部２１３Ｂ１と柱部３０Ｂ２との間の隙間に応じて、ある程度、移動可能となっている。
【００９８】
本実施形態の液晶表示装置１０Ｂにおいて、プリント基板（駆動基板）２１３Ｂは、その厚み方向に貫通する孔部（貫通孔）２１３Ｂ１を有し、保持部３０Ｂは、プリント基板（駆動基板）２１３Ｂａが液晶パネル（表示パネル）１１の厚み方向に沿って移動可能な状態で、孔部（貫通孔）２１３Ｂ１に挿通されると共に、シャーシ１４の裏側に宛がわれる柱部３０Ｂ２を含むものである。このように、プリント基板２１３Ｂが液晶パネル１１の厚み方向に沿って移動可能な状態で、保持されることによって、プリント基板２１３Ｂとフレキシブル基板２１１との接続部分や、フレキシブル基板２１１と液晶パネル１１との接続部分に対して応力が集中することが抑制される。その結果、フレキシブル基板２１１やプリント基板２１３Ｂ等が破損することが抑制される。また、プリント基板２１３Ｂ１の基材部分が熱膨張した場合や、振動等によってプリント基板２１２Ｂに力が加えられた場合等であっても、プリント基板２１２Ｂは、シャーシ１４やカバー部材ＣＶＢに対して、ある程度、移動することができる。そのため、実施形態１と同様、プリント基板２１３Ｂに対して、大きな外力（ストレス）が加えられることが抑制される。また、プリント基板２１３Ｂ上に形成されている配線パターンや実装部品が、振動等によって底板１４ａに対して強く押し付けられて破損して、プリント基板２１３Ｂがショート破壊すること等も抑制される。
【００９９】
＜実施形態４＞
次いで、本発明の実施形態４を、図１２及び図１３を参照しつつ説明する。本実施形態では、液晶表示装置１０Ｃを例示する。図１２は、実施形態４に係る液晶表示装置１０Ｃの拡大断面図であり、図１３は、実施形態４における保持部３０Ｃの一部を拡大して示した斜視図である。なお、図１２に示される液晶表示装置１０Ｃの断面構成は、図５に示される実施形態１の液晶表示装置１０の断面構成に対応している。
【０１００】
本実施形態の液晶表示装置１０Ｃは、保持部３０Ｃとして、筒状の収容部（第１収容部）３１Ｃを備えるものが利用される。保持部３０Ｃは、実施形態１と同様、合成樹脂製であり、カバー部材ＣＶＣに対して一体的に形成されている。保持部３０Ｃの先端（表側）には、扁平な筒状の収容部３１Ｃが設けられている。収容部３１Ｃは、プリント基板２１３が載せられると共に、保持部３０Ｃ（シャーシ１４）の長手方向に沿って延びた扁平な矩形状の板状台３１Ｃ１と、この板状台３１Ｃ１における一方の長辺側端部に立設される内壁部３１Ｃ２と、板状台３１Ｃ１における他方の長辺側端部に立設される外壁部３１Ｃ３と、板状台３１Ｃ１、内壁部３１Ｃ２及び外壁部３１Ｃ３との間で囲まれる空間３１Ｃ４とを備えている。なお、収容部３１Ｃは、全体的には、その長手方向において両端が開口した筒状をなしている。
【０１０１】
内壁部３１Ｃ２のうち、板状台３１Ｃ１に立設されている根元側の部分は、Ｚ軸方向に沿って起立する板状をなしており、板状台３１Ｃ１の長手方向に沿って延びた形をなしている。そして、その板状の部分の先端から、外壁部３１Ｃ３側に向かって張り出した板状の部分を備えている。内壁部３１Ｃ２は、板状台３１Ｃ１の長手方向に沿って連続的に設けられている。これに対して、外壁部３１Ｃ３は、複数個の部分に分かれており、板状台３１Ｃ１の長手方向において、間欠的に設けられている。外壁部３１Ｃ３の根元側の部分は、Ｚ軸方向に沿って起立する板状をなしており、そして、その板状部分の先端から、内壁部３１Ｃ２側に向かって張り出した板状の部分を備えている。なお、隣り合った外壁部３１Ｃ３の間には、フレキシブル基板２１１が通される隙間３１Ｃ５が形成されている。内壁部３１Ｃ２と外壁部３１Ｃ３との間には、隙間があり、この隙間からプリント基板２１３が収容部３１Ｃ内に収容される。内壁部３１Ｃ２及び外壁部３１Ｃ３は、ある程度、弾性変形可能であるため、プリント基板２１３を収容部３１Ｃに対して容易に取り付けることができる。
【０１０２】
プリント基板２１３は、その一方の板面２１３ａが板状台３１Ｃ１の表面３０Ｃａと対向し、他方の対面２１３ｂが、外壁部３１Ｃ３及び内壁部３１Ｃ２の張り出した各板状の部分と対向するように、収容部３１Ｃの空間３１Ｃ４内に配される。つまり、プリント基板２１３は、長辺側の両端から、外壁部３１Ｃ３と内壁部３１Ｃ２とによって挟まれた形となっている。また、プリント基板２１３は、その厚み方向（Ｚ軸方向）において、板状台３１Ｃ１と、外壁部３１Ｃ３及び内壁部３１Ｃ２の張り出した各板状の部分とによって挟まれた形となっている。なお、プリント基板２１３の長辺側の各端面は、外壁部３１Ｃ３や内壁部３１Ｃ２に対して、若干の隙間を保った状態となっており、プリント基板２１３がＸ軸方向に沿ってある程度、移動可能な状態となっている。また、プリント基板２１３は、フレキシブル基板２１１が隙間３１Ｃ５を移動できる範囲において、Ｙ軸方向に沿って移動可能な状態となっている。プリント基板２１３は、その板面２１３ａ，２１３ｂが底板１４ａの板面に対して平行に配された状態となっている。
【０１０３】
本実施形態の液晶表示装置１０Ｃは、上述したように、カバー部材ＣＶＣに一体的に形成されている保持部３０Ｃを利用して、プリント基板２１３をシャーシ１４とカバー部材ＣＶＣとの間で保持している。特に、保持部３０Ｃは、その先端には筒状の収容部３１Ｃを備えており、この収容部３１Ｃによって、プリント基板２１３は、ある程度の動き（自由度）が許容された状態で収容されている。このように、保持部３０Ｃがカバー部材ＣＶＣに対して一体的に形成されていると、プリント基板２１３を保持するための部材を、別途設ける必要がない。また、内壁部３１Ｃや外壁部３１Ｃ３の張り出した各板状の部分が、シャーシ１４の底板１４ａと、板面２１３ｂとの間に介在されるため、プリント基板２１３の板面２１３ｂが直に、シャーシ１４に接触することが抑制され、プリント基板２１３上の配線パターンとシャーシ１４とが互いに電気的に接続され、漏電することが抑制される。また、本実施形態の場合、実施形態１のような、絶縁シート２１（実施形態１参照）を利用する必要がなくなり、部品点数を削減できる。
【０１０４】
＜実施形態５＞
次いで、本発明の実施形態５を、図１４及び図１５を参照しつつ説明する。本実施形態では、液晶表示装置１０Ｄを例示する。図１４は、実施形態５に係る液晶表示装置１０Ｄの拡大断面図であり、図１５は、実施形態５における保持部３０Ｄの一部を拡大して示した斜視図である。なお、図１５に示される液晶表示装置１０Ｄの断面構成は、図５に示される実施形態１の液晶表示装置１０の断面構成に対応している。
【０１０５】
本実施形態では、プリント基板２１３は、反射シート２０（２０ａ）と、カバー部材ＣＶＤに設けられている保持部３０Ｄとの間で挟まれて保持される構成となっている。そのため、導光板１６の端面１６ｂ側に配されている部分の反射シート２０をシャーシ１４Ｄから露出させるために、シャーシ１４Ｄの底板１４Ｄａが、実施形態１のものと比べて、小さく設定されている。本実施形態の場合、導光板１６の端面１６ｂ側に配されている底板１４Ｄａの端部位置は、液晶パネル１１の表示領域１１ｃ１内に設定されている（図１４参照）。したがって、その底板１４Ｄａの端部から外側には、反射シート２０の端部２０ａが露出した状態となっている。この露出した部分の反射シート２０（２０ａ）に対して、プリント基板２１３の板面２１３ｂが宛がわれている。つまり、本実施形態の場合、実施形態１で利用される絶縁シート２１に代えて、反射シート２０の端部２０ａが利用される構成となっている。プリント基板２１３は、反射シート２０の端部２０ａを介して導光板１６の裏側の板面１６ｆに押し当てられている。なお、反射シート２０を介してプリント基板２１３が導光板１６の裏側に宛がわれると、プリント基板２１３の板面２１３ｂと導光板１６の裏側との接触が緩和される。
【０１０６】
保持部３０Ｄ（第２凸部）は、カバー部材ＣＶＣのカバー底板ＣＶａ上に立設され、シャーシ１４Ｄ（底板１４Ｄａ）の長手方向に沿って延びた凸部（第２凸部）を備えている。そして、その先端面３０Ｄａ上には、弾性部材３１Ｄが形成されている。弾性部材３１Ａは、実施形態２と同様の弾性材料からなる。弾性部材３１Ａの先端面３１Ｄａは、プリント基板２１３の板面２１３ａと接触する部分となっている。プリント基板２１３は、導光板１６の裏側の板面１６ｆと、保持部３０Ｄの弾性部材３１Ｄとの間で、挟まれた状態で保持されるため、プリント基板２１３の動きが有る程度、許容されており、自由度が高くなっている。
【０１０７】
本実施形態の液晶表示装置１０Ｄは、画像が表示される表示面１１ｃを表側に含む液晶パネル（表示パネル）１１と、液晶パネルの裏側に配される板状部材であって、前記板状部材の表側の板面１６ａからなり液晶パネル１１の裏側に向かって光を出射する光出射面１６ａを有する導光板１６と、導光板１６の裏側の板面１６ｆを覆う形で導光板１６の裏側に配される反射シート２０と、反射シート２０の端部２０ａが露出すると共に反射シート２０を介して導光板１６の裏側に配される板状部材であって、表側の板面が導光板１６の裏側の板面１６ｆと対向するシャーシ１４Ｄと、液晶パネル１１の表示駆動を制御し、シャーシ１４Ｄから露出する反射シート２０を介して導光板１６の裏側に配されるプリント基板（駆動基板）２１３と、液晶パネル１１とプリント基板（駆動基板）２１３との間を電気的に接続する可撓性を備えたフレキシブル基板２１１と、反射シート２０を介した状態で導光板１６との間でプリント基板（駆動基板）を挟持する保持部３０Ｄ（第２凸部）を有し、シャーシ１４Ｄの裏側に配されるカバー部材ＣＶＤと、を備える。
【０１０８】
本実施形態の液晶表示装置１０Ｄにおいて、液晶パネル（表示パネル）１１の裏側に、導光板１６が配されており、更に導光板１６の裏側に、反射シート２０が配されている。シャーシ１４Ｄは、反射シート２０の端部２０ａが露出する状態で反射シート２０を介して導光板１６の裏側に配されている。そして、プリント基板（駆動基板）２１３は、シャーシ１４Ｄから露出する端部２０ａの反射シート２０を介した状態で導光板１６の裏側に配されている。また、シャーシ１４の裏側にはカバー部材ＣＶＤが配されている。このカバー部材ＣＶＤは、導光板１６との間で反射シート２０を介した状態でプリント基板（駆動基板）２１３を挟持する保持部（第２凸部）３０Ｄを備えている。このように、プリント基板（駆動基板）２１３を、導光板１６との間でカバー部材ＣＶＤが備えている保持部（第２凸部）３０Ｄによって挟持させることによって、液晶表示装置１０Ｄにおける液晶パネル１１の周りを囲む額縁部分を狭小化することができる。例えば、液晶表示装置１０Ｄは、プリント基板（駆動基板）２１３を導光板１６の端面１６ｂの外側に起立させた状態で配置した場合と比べて、額縁部分を狭小化することができる。特に、液晶表示装置１０Ｄの額縁部分における厚みを小さくすることができる。
【０１０９】
また、本実施形態の液晶表示装置１０Ｄは、保持部（第２凸部）３０Ｄの先端にプリント基板（駆動基板）２１３に宛がわれる弾性部材３１Ｄを備えるものである。このように弾性部材３１Ａが設けられていると、プリント基板２１３が、反射シート２０と保持部（第２凸部）３０Ｄとの間である程度、動ける状態で保持されることになる。その結果、プリント基板（駆動基板）２１３が導光板１６や保持部（第２凸部）３０Ｄ等から力を受けて、損傷することが抑制される。
【０１１０】
＜実施形態６＞
次いで、本発明の実施形態６を、図１６及び図１７を参照しつつ説明する。本実施形態では、液晶表示装置１０Ｅを例示する。図１６は、実施形態６に係る液晶表示装置１０Ｅの拡大断面図であり、図１７は、実施形態６における保持部３０Ｅの一部を拡大して示した斜視図である。なお、図６に示される液晶表示装置１０Ｅの断面構成は、図５に示される実施形態１の液晶表示装置１０の断面構成に対応している。
【０１１１】
本実施形態の液晶表示装置１０Ｅは、実施形態５と同様、導光板１６の端面１６ｂ側に配されているシャーシ１４Ｅａ（底板１４Ｅａ）の端部から、反射シート２０の端部２０ａが露出している。そして、その露出した反射シート２０の端部２０ａに対して、カバー部材ＣＶＥに一体的に設けられた保持部３０Ｅがプリント基板２１３を収容した状態で宛がわれる構成となっている。本実施形態の保持部３０Ｅは、その先端にプリント基板２１３を収容するための箱状の収容部（第２収容部）３２Ｅが設けられている。この収容部３２Ｅは、表側（先側）が開口した浅底の箱状であって、シャーシ１４Ｅの長手方向に沿って延びた形をなしている。なお、本実施形態の場合、収容部３２Ｅの長手方向における両端部（つまり、両短辺側）も、開口した状態となっている。
【０１１２】
保持部３０Ｅの先端に設けられている収容部３２Ｅは、プリント基板２１３が載せられる部分であって、保持部３０Ｅ（シャーシ１４Ｅａ）の長手方向に沿って延びた扁平な矩形状の板状台３１Ｅ１と、この板状台３１Ｅ１における一方の長辺側端部に立設される内壁３１Ｅ２と、板状台３１Ｅ１における他方の長辺側端部に立設される外壁３１Ｅ３とを備えている。
【０１１３】
内壁３１Ｅ２は、板状台３１Ｅ１からＺ軸方向に沿って立ち上がった板状をなすと共に、板状台３１Ｅ１の長手方向に沿って延びた形をなしている。そして、内壁３１Ｅ２の先端面は、反射シート２０の端部２０ａを介して導光板１６の裏側の板面１６ｆに宛がわれる部分となっている。内壁３１Ｅ２は、板状台３１Ｅ１の長手方向に沿って連続的に設けられている。これに対して、外壁３１Ｅ３は、複数個の部分に分かれており、板状台３１Ｅ１の長手方向において、間欠的に設けられている。外壁３１Ｅ３は、Ｚ軸方向に沿って立ち上がった板状をなしている。外壁３１Ｅ３の先端面も、内壁３１Ｅ２と同様、反射シート２０の端部２０ａを介して導光板１６の裏側の板面１６ｆに宛がわれる部分となっている。なお、隣り合った外壁３１Ｅ３の間には、フレキシブル基板２１１が通される隙間３１Ｅ５が形成されている。
【０１１４】
内壁３１Ｅ２及び外壁３１Ｅ３の高さ（板状台３１Ｅ１の表面３０Ｅａからの高さ）は、プリント基板２１３の厚みの２倍程度に設定されている。プリント基板２１３と液晶パネル１１との間を接続するフレキシブル基板２１１は、可撓性を備えつつ、ある程度の弾性を備えている。フレキシブル基板２１１が、液晶パネル１１の端部とプリント基板２１３の端部との間を、略Ｕ字状（円弧状）に撓むと、プリント基板２１３Ｂが保持部３０Ｅの先端にある板状台３１Ｅ１側に近付くように、フレキシブル基板２１１の弾性力が作用する。つまり、プリント基板２１３には、一方の板面２１３ａが保持部３０Ｅの先端にある板状台３１Ｅ１の表面３０Ｅａに近付くと共に、他方の板面２１３ｂが反射シート２０（端部２０ａ）から離れるように、フレキシブル基板２１１の弾性力が作用する。そのため、通常は、プリント基板２１３Ｂは、保持部３０Ｅの先端にある板状台３１Ｅ１の表面３０Ｅａ側に近付いた状態で、収容部３１Ｅ内に配されている。本実施形態のプリント基板２１３は、その厚み方向（Ｚ軸方向）において、収容部３１Ｅの内壁３１Ｅ２及び外壁３１Ｅ３に沿って移動可能である。また、Ｙ軸方向においても、外壁３１Ｅ３とフレキシブル基板２１１との間の隙間等に応じて、ある程度、移動可能となっている。
【０１１５】
本実施形態の液晶表示装置１０Ｅにおいて、保持部３０Ｅは、プリント基板（駆動基板）２１３の板面２１３ａ、２１３ｂが導光板１６の板面１６ｆに対して平行に配されると共に、プリント基板（駆動基板）２１３が液晶パネル（表示パネル）１１の厚み方向（Ｚ軸方向）に沿って移動可能な状態で、プリント基板（駆動基板）２１３を収容する表側が開口した箱状の収容部（第２収容部）３１Ｅを含んでいる。このように、プリント基板（駆動基板）２１３が液晶パネル（表示パネル）１１の厚み方向に沿って移動可能な状態で、保持されることによって、プリント基板（駆動基板）２１３とフレキシブル基板２１１との接続部分や、フレキシブル基板２１１と液晶パネル１１との接続部分に対して応力が集中することが抑制される。その結果、フレキシブル基板２１１やプリント基板２１３（駆動基板）等が破損することが抑制される。
【０１１６】
＜他の実施形態＞
本発明は上記記述及び図面によって説明した実施形態に限定されるものではなく、例えば次のような実施形態も本発明の技術的範囲に含まれる。
【０１１７】
（１）上記各実施形態では、ソース側のプリント基板（所謂、ソース基板）を、駆動基板として例示した。他の実施形態においては、例えば、ゲート側のプリント基板（所謂、ゲート基板）を備える液晶表示装置において、ゲート側のプリント基板を、駆動基板として、シャーシの裏側（又は、導光板の裏側）に配置させてもよい。
【０１１８】
（２）上記実施形態３において、保持部に設けられる柱部は、円柱状であったが、他の実施形態においては、これに限られるものではなく、例えば、三角柱状、四角柱状等の柱部が利用されてもよい。
【０１１９】
（３）上記実施形態６において、プリント基板は、保持部の先端に設けられている収容部に収容された状態で、反射シートを介して導光板の裏側と接触可能な状態となっていた。他の実施形態においては、例えば、シャーシの底板に対して、プリント基板を収容した収容部の内壁及び外壁の各先端面が宛がわれる構成であってもよい。各先端面は、絶縁シートを介してシャーシの底板に宛がわれてもよい。つまり、実施形態６の保持部の構成を、実施形態１に採用してもよい。この場合も、実施形態６と同様な技術的効果が得られる。
【０１２０】
（４）上記実施形態では、光源としてＬＥＤを利用するものを例示したが、他の実施形態においては、ＬＥＤ以外の光源（例えば、冷陰極管）を利用してもよい。
【０１２１】
（５）他の実施形態においては、ＬＥＤ基板の設置数や配置、ＬＥＤ基板におけるＬＥＤの実装数や配置等は、適宜、変更可能である。
【０１２２】
（６）上記実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１２３】
（７）上記実施形態では、液晶表示装置のスイッチング素子としてＴＦＴを用いたが、ＴＦＴ以外のスイッチング素子（例えば薄膜ダイオード（ＴＦＤ））を用いた液晶表示装置にも本発明は適用可能であり、また、カラー表示する液晶表示装置以外にも、白黒表示する液晶表示装置にも適用可能である。
【０１２４】
（８）上記実施形態では、表示パネルとして液晶パネルを用いた液晶表示装置を例示したが、他の種類の表示パネルを用いた表示装置にも本発明は適用可能である。
【０１２５】
（９）上記実施形態では、チューナーを備えたテレビ受信装置を例示したが、チューナーを備えていない表示装置にも本発明は適用可能である。
【０１２６】
（１０）上記実施形態では、所謂、エッジライト型（サイドライト型）の液晶表示装置を例示したが、他の実施形態においては、他の方式の液晶表示装置（例えば、直下型）であってもよい。
【符号の説明】
【０１２７】
１０…液晶表示装置（表示装置）、１１…液晶パネル（表示パネル）、１２…バックライト装置（照明装置）、１３…フレーム、１４…シャーシ、１４ａ…底板、１５…光学部材、１６…導光板、１６ａ…表側の板面（光出射面）、１６ｂ…端面（光入射面）、１６ｆ…裏側の板面、１７…ＬＥＤ（光源）、１８…ＬＥＤ基板（光源基板）、１９…放熱部材（光源支持部材）、２０…反射シート、２１…絶縁シート、３０…保持部、２１１…フレキシブル基板、２１２…ソースドライバ、２１３…ソース側のプリント基板（駆動基板）、ＣＶ…カバー部材、ＴＶ…テレビ受信装置
【図１】
2013238639.tif 000003
【図２】
2013238639.tif 000004
【図３】
2013238639.tif 000005
【図４】
2013238639.tif 000006
【図５】
2013238639.tif 000007
【図６】
2013238639.tif 000008
【図７】
2013238639.tif 000009
【図８】
2013238639.tif 000010
【図９】
2013238639.tif 000011
【図１０】
2013238639.tif 000012
【図１１】
2013238639.tif 000013
【図１２】
2013238639.tif 000014
【図１３】
2013238639.tif 000015
【図１４】
2013238639.tif 000016
【図１５】
2013238639.tif 000017
【図１６】
2013238639.tif 000018
【図１７】
2013238639.tif 000019